(57)【要約】【課題】例えば、第三者による安価な身分証明サービスを提供し、身分証明書の偽造や盗難によるなりすましを困難にすることを目的とする。【解決手段】身分証明カード発行装置２００の認証コード取得部２０３は、認証センター装置３０１から撮影部２０２により写真が撮影された時刻を証明するための認証コードを取得する。写真登録部２０５は、写真と認証コードとを対応付けて写真保管データベース３０３に登録する。身分証明カード生成部２０６は、入力部２０１により入力された身分情報と写真と認証コードとを表示する身分証明カードの出力イメージを生成する。身分証明カード登録部２０７は、身分情報と認証コードとを対応付けて身分証明センター装置４０１の身分情報管理部４０４に登録する。印刷部２０８は、身分証明カード生成部２０６により生成された出力イメージに基づいて身分証明カードを出力する。【選択図】図３
2007133501.tif 000002
【特許請求の範囲】
【請求項１】
身分証明カードを用いてユーザの身分を証明する身分証明システムにおいて、
前記ユーザに関する身分情報を入力する入力部と、
時刻を示す時刻情報と当該時刻にしか得られない一意のデータとを合成して当該時刻を証明するための認証コードを発行する認証サービスを提供するとともに前記認証サービスの契約者に関する契約者情報を予めデータベースに記憶する認証装置から、所定の時刻を証明するための認証コードを取得する認証コード取得部と、
前記入力部により入力された身分情報と前記認証コード取得部により取得された認証コードとを表示する身分証明カードの出力イメージを生成する身分証明カード生成部と、
前記入力部により入力された身分情報と前記認証コード取得部により取得された認証コードとを対応付けて登録することを要求する身分情報登録部とを有する身分証明カード発行装置と、
前記身分証明カード発行装置の入力部により入力された身分情報と前記データベースに記憶された契約者情報とが一致するかどうかを検証する検証部と、
前記検証部による検証が成功した場合に、前記身分証明カード発行装置の身分情報登録部による要求に従って、前記身分証明カード発行装置の入力部により入力された身分情報と前記身分証明カード発行装置の認証コード取得部により取得された認証コードとを対応付けて記憶する身分情報管理部とを有する身分証明装置とを備え、
前記身分証明カード発行装置は、さらに、
前記身分情報登録部による登録の要求が成功した場合に、前記身分証明カード生成部により生成された出力イメージに基づいて身分証明カードを出力する出力部を有することを特徴とする身分証明システム。
【請求項２】
前記身分証明カード発行装置は、さらに、
前記ユーザの写真を撮影する撮影部を有し、
前記身分証明カード発行装置の認証コード取得部は、前記所定の時刻として、前記撮影部により前記写真が撮影された時刻を証明するための認証コードを取得し、
前記身分証明カード発行装置は、さらに、
前記撮影部により撮影された写真と前記認証コード取得部により取得された認証コードとを対応付けて前記データベースに登録する写真登録部を有し、
前記身分証明カード発行装置の身分証明カード生成部は、前記入力部により入力された身分情報と前記撮影部により撮影された写真と前記認証コード取得部により取得された認証コードとを表示する身分証明カードの出力イメージを生成し、
前記身分証明装置の検証部は、さらに、前記身分証明カード発行装置の認証コード取得部により取得された認証コードに対応する写真が前記身分証明カード発行装置の写真登録部により前記データベースに登録されているかどうかを検証することを特徴とする請求項１に記載の身分証明システム。
【請求項３】
前記身分証明カード発行装置の入力部は、身分情報を更新する身分更新情報と更新する身分情報に対応する認証コードとを入力し、
前記身分証明カード発行装置は、さらに、
前記入力部により入力された認証コードに対応する身分情報を前記入力部により入力された身分更新情報に更新することを要求する身分情報更新部を有し、
前記身分証明装置の身分情報管理部は、前記身分証明カード発行装置の身分情報更新部による要求に従って、前記身分証明カード発行装置の入力部により入力された認証コードに対応する身分情報を前記身分証明カード発行装置の入力部により入力された身分更新情報に更新することを特徴とする請求項１に記載の身分証明システム。
【請求項４】
前記身分証明システムは、さらに、
前記身分証明コード発行装置の出力部により出力された身分証明カードに表示された認証コードを入力する入力部と、
前記入力部により入力された認証コードに対応する身分情報を照会する身分証明カード照会部とを有する身分証明カード確認装置を備え、
前記身分証明装置は、さらに、
前記身分証明カード確認装置の身分証明カード照会部による照会に従って、前記身分証明カード確認装置の入力部により入力された認証コードが証明する時刻を示す時刻情報を前記認証装置から取得し、当該認証コードに対応する写真を前記データベースから取得し、当該認証コードに対応する身分情報を前記身分情報管理部から取得し、取得した時刻情報と写真と身分情報とを照会情報として生成する照会情報生成部を有し、
前記身分証明カード確認装置は、さらに、
前記身分証明装置の照会情報生成部により生成された照会情報を出力する出力部を有することを特徴とする請求項２に記載の身分証明システム。
【請求項５】
前記認証装置は、時刻を示す時刻情報と当該時刻にしか得られない一意のデータと位置を示す位置情報とを合成して当該時刻及び位置を証明するための認証コードを発行する認証サービスを提供し、
前記身分証明カード発行装置の認証コード取得部は、前記認証装置から前記撮影部により前記写真が撮影された時刻及び位置を証明するための認証コードを取得することを特徴とする請求項２に記載の身分証明システム。
【請求項６】
前記身分証明カード発行装置は、さらに、
前記撮影部により撮影された写真と前記認証コード取得部により取得された認証コードとを合成して認証コード付き写真を生成する撮影写真加工部を有し、
前記身分証明カード発行装置の写真登録部は、前記写真として、前記撮影写真加工部により生成された認証コード付き写真を前記データベースに登録し、
前記身分証明カードは、前記写真として、前記撮影写真加工部により生成された認証コード付き写真を表示することを特徴とする請求項２に記載の身分証明システム。
【請求項７】
前記身分証明カードは、前記認証コードを二次元バーコードとして表示し、
前記身分証明カード確認装置は、さらに、
前記身分証明カードに表示された二次元バーコードから認証コードを読み取る読取部を有し、
前記身分証明カード確認装置の身分証明カード照会部は、前記読取部により読み取られた認証コードに対応する身分情報を照会することを特徴とする請求項４に記載の身分証明システム。
【請求項８】
前記身分情報は、前記身分証明カードの有効期限を示す期限情報を含み、
前記身分証明装置の照会情報生成部は、取得した身分情報に含まれる期限情報に基づいて、現在時刻と前記身分証明カードの有効期限とを比較し、前記身分証明カードが有効であるかどうかを示す有効無効情報を照会情報に含めることを特徴とする請求項４に記載の身分証明システム。
【請求項９】
前記身分情報は、前記ユーザが所定の時刻に所定の場所を訪問する予定があるかどうかを示す行動予定情報を含み、
前記身分証明カード確認装置の入力部は、前記ユーザの行動予定を照会する時刻を指定し、
前記身分証明装置の照会情報生成部は、取得した身分情報に含まれる行動予定情報に基づいて、前記身分証明カード確認装置の入力部により指定された時刻に前記ユーザが訪問する予定の場所を示す場所情報を照会情報に含めることを特徴とする請求項４に記載の身分証明システム。
【請求項１０】
身分証明カードを用いてユーザの身分を証明する身分証明方法において、
身分証明カード発行装置の入力部が、前記ユーザに関する身分情報を入力する第１の入力ステップと、
前記身分証明カード発行装置の認証コード取得部が、時刻を示す時刻情報と当該時刻にしか得られない一意のデータとを合成して当該時刻を証明するための認証コードを発行する認証サービスを提供するとともに前記認証サービスの契約者に関する契約者情報を予めデータベースに記憶する認証装置から、所定の時刻を証明するための認証コードを取得する認証コード取得ステップと、
前記身分証明カード発行装置の身分証明カード生成部が、前記入力部により入力された身分情報と前記認証コード取得部により取得された認証コードとを表示する身分証明カードの出力イメージを生成する身分証明カード生成ステップと、
前記身分証明カード発行装置の身分情報登録部が、前記入力部により入力された身分情報と前記認証コード取得部により取得された認証コードとを対応付けて登録することを要求する身分情報登録ステップと、
身分証明装置の検証部が、前記身分証明カード発行装置の入力部により入力された身分情報と前記データベースに記憶された契約者情報とが一致するかどうかを検証する検証ステップと、
前記身分証明装置の身分情報管理部が、前記検証部による検証が成功した場合に、前記身分証明カード発行装置の身分情報登録部による要求に従って、前記身分証明カード発行装置の入力部により入力された身分情報と前記身分証明カード発行装置の認証コード取得部により取得された認証コードとを対応付けて記憶する第１の身分情報管理ステップと、
前記身分証明カード発行装置の出力部が、前記身分情報登録部による登録の要求が成功した場合に、前記身分証明カード生成部により生成された出力イメージに基づいて身分証明カードを出力する第１の出力ステップとを備えることを特徴とする身分証明方法。
【請求項１１】
前記身分証明方法は、さらに、
前記身分証明カード発行装置の撮影部が、前記ユーザの写真を撮影する撮影ステップを備え、
前記認証コード取得ステップは、前記身分証明カード発行装置の認証コード取得部が、前記所定の時刻として、前記撮影部により前記写真が撮影された時刻を証明するための認証コードを取得し、
前記身分証明方法は、さらに、
前記身分証明カード発行装置の写真登録部が、前記撮影部により撮影された写真と前記認証コード取得部により取得された認証コードとを対応付けて前記データベースに登録する写真登録ステップを備え、
前記身分証明カード生成ステップは、前記身分証明カード発行装置の身分証明カード生成部が、前記入力部により入力された身分情報と前記撮影部により撮影された写真と前記認証コード取得部により取得された認証コードとを表示する身分証明カードの出力イメージを生成し、
前記検証ステップは、さらに、前記身分証明装置の検証部が、前記身分証明カード発行装置の認証コード取得部により取得された認証コードに対応する写真が前記身分証明カード発行装置の写真登録部により前記データベースに登録されているかどうかを検証することを特徴とする請求項１０に記載の身分証明方法。
【請求項１２】
前記身分証明方法は、さらに、
前記身分証明カード発行装置の入力部が、身分情報を更新する身分更新情報と更新する身分情報に対応する認証コードとを入力する第２の入力ステップと、
前記身分証明カード発行装置の身分情報更新部が、前記入力部により入力された認証コードに対応する身分情報を前記入力部により入力された身分更新情報に更新することを要求する身分情報更新ステップと、
前記身分証明装置の身分情報管理部が、前記身分証明カード発行装置の身分情報更新部による要求に従って、前記身分証明カード発行装置の入力部により入力された認証コードに対応する身分情報を前記身分証明カード発行装置の入力部により入力された身分更新情報に更新する第２の身分情報管理ステップとを備えることを特徴とする請求項１０に記載の身分証明方法。
【請求項１３】
前記身分証明方法は、さらに、
身分証明カード確認装置の入力部が、前記身分証明コード発行装置の出力部により出力された身分証明カードに表示された認証コードを入力する第２の入力ステップと、
前記身分証明カード確認装置の身分証明カード照会部が、前記身分証明カード確認装置の入力部により入力された認証コードに対応する身分情報を照会する身分証明カード照会ステップと、
前記身分証明装置の照会情報生成部が、前記身分証明カード確認装置の身分証明カード照会部による照会に従って、前記身分証明カード確認装置の入力部により入力された認証コードが証明する時刻を示す時刻情報を前記認証装置から取得し、当該認証コードに対応する写真を前記データベースから取得し、当該認証コードに対応する身分情報を前記身分情報管理部から取得し、取得した時刻情報と写真と身分情報とを照会情報として生成する照会情報生成ステップと、
前記身分証明カード確認装置の出力部が、前記身分証明装置の照会情報生成部により生成された照会情報を出力する第２の出力ステップとを備えることを特徴とする請求項１１に記載の身分証明方法。
【請求項１４】
身分証明カードを用いてユーザの身分を証明する身分証明プログラムにおいて、
身分証明カード発行装置の入力部が、前記ユーザに関する身分情報を入力する第１の入力処理と、
前記身分証明カード発行装置の認証コード取得部が、時刻を示す時刻情報と当該時刻にしか得られない一意のデータとを合成して当該時刻を証明するための認証コードを発行する認証サービスを提供するとともに前記認証サービスの契約者に関する契約者情報を予めデータベースに記憶する認証装置から、所定の時刻を証明するための認証コードを取得する認証コード取得処理と、
前記身分証明カード発行装置の身分証明カード生成部が、前記入力部により入力された身分情報と前記認証コード取得部により取得された認証コードとを表示する身分証明カードの出力イメージを生成する身分証明カード生成処理と、
前記身分証明カード発行装置の身分情報登録部が、前記入力部により入力された身分情報と前記認証コード取得部により取得された認証コードとを対応付けて登録することを要求する身分情報登録処理と、
身分証明装置の検証部が、前記身分証明カード発行装置の入力部により入力された身分情報と前記データベースに記憶された契約者情報とが一致するかどうかを検証する検証処理と、
前記身分証明装置の身分情報管理部が、前記検証部による検証が成功した場合に、前記身分証明カード発行装置の身分情報登録部による要求に従って、前記身分証明カード発行装置の入力部により入力された身分情報と前記身分証明カード発行装置の認証コード取得部により取得された認証コードとを対応付けて記憶する第１の身分情報管理処理と、
前記身分証明カード発行装置の出力部が、前記身分情報登録部による登録の要求が成功した場合に、前記身分証明カード生成部により生成された出力イメージに基づいて身分証明カードを出力する第１の出力処理とをコンピュータに実行させることを特徴とする身分証明プログラム。
【請求項１５】
前記身分証明プログラムは、さらに、
前記身分証明カード発行装置の撮影部が、前記ユーザの写真を撮影する撮影処理をコンピュータに実行させ、
前記認証コード取得処理は、前記身分証明カード発行装置の認証コード取得部が、前記所定の時刻として、前記撮影部により前記写真が撮影された時刻を証明するための認証コードを取得し、
前記身分証明プログラムは、さらに、
前記身分証明カード発行装置の写真登録部が、前記撮影部により撮影された写真と前記認証コード取得部により取得された認証コードとを対応付けて前記データベースに登録する写真登録処理をコンピュータに実行させ、
前記身分証明カード生成処理は、前記身分証明カード発行装置の身分証明カード生成部が、前記入力部により入力された身分情報と前記撮影部により撮影された写真と前記認証コード取得部により取得された認証コードとを表示する身分証明カードの出力イメージを生成し、
前記検証処理は、さらに、前記身分証明装置の検証部が、前記身分証明カード発行装置の認証コード取得部により取得された認証コードに対応する写真が前記身分証明カード発行装置の写真登録部により前記データベースに登録されているかどうかを検証することを特徴とする請求項１４に記載の身分証明プログラム。
【請求項１６】
前記身分証明プログラムは、さらに、
前記身分証明カード発行装置の入力部が、身分情報を更新する身分更新情報と更新する身分情報に対応する認証コードとを入力する第２の入力処理と、
前記身分証明カード発行装置の身分情報更新部が、前記入力部により入力された認証コードに対応する身分情報を前記入力部により入力された身分更新情報に更新することを要求する身分情報更新処理と、
前記身分証明装置の身分情報管理部が、前記身分証明カード発行装置の身分情報更新部による要求に従って、前記身分証明カード発行装置の入力部により入力された認証コードに対応する身分情報を前記身分証明カード発行装置の入力部により入力された身分更新情報に更新する第２の身分情報管理処理とをコンピュータに実行させることを特徴とする請求項１４に記載の身分証明プログラム。
【請求項１７】
前記身分証明プログラムは、さらに、
身分証明カード確認装置の入力部が、前記身分証明コード発行装置の出力部により出力された身分証明カードに表示された認証コードを入力する第２の入力処理と、
前記身分証明カード確認装置の身分証明カード照会部が、前記身分証明カード確認装置の入力部により入力された認証コードに対応する身分情報を照会する身分証明カード照会処理と、
前記身分証明装置の照会情報生成部が、前記身分証明カード確認装置の身分証明カード照会部による照会に従って、前記身分証明カード確認装置の入力部により入力された認証コードが証明する時刻を示す時刻情報を前記認証装置から取得し、当該認証コードに対応する写真を前記データベースから取得し、当該認証コードに対応する身分情報を前記身分情報管理部から取得し、取得した時刻情報と写真と身分情報とを照会情報として生成する照会情報生成処理と、
前記身分証明カード確認装置の出力部が、前記身分証明装置の照会情報生成部により生成された照会情報を出力する第２の出力処理とをコンピュータに実行させることを特徴とする請求項１５に記載の身分証明プログラム。
【請求項１８】
前記認証装置は、時刻を示す時刻情報と当該時刻にしか得られない一意のデータと位置を示す位置情報とを合成して当該時刻及び位置を証明するための認証コードを発行する認証サービスを提供し、
前記認証コード取得処理は、前記身分証明カード発行装置の認証コード取得部が、前記認証装置から前記撮影部により前記写真が撮影された時刻及び位置を証明するための認証コードを取得することを特徴とする請求項１５に記載の身分証明プログラム。
【請求項１９】
前記身分証明プログラムは、さらに、
前記身分証明カード発行装置の撮影写真加工部が、前記撮影部により撮影された写真と前記認証コード取得部により取得された認証コードとを合成して認証コード付き写真を生成する撮影写真加工処理をコンピュータに実行させ、
前記写真登録処理は、前記身分証明カード発行装置の写真登録部が、前記写真として、前記撮影写真加工部により生成された認証コード付き写真を前記データベースに登録し、
前記身分証明カードは、前記写真として、前記撮影写真加工部により生成された認証コード付き写真を表示することを特徴とする請求項１５に記載の身分証明プログラム。
【請求項２０】
前記身分証明カードは、前記認証コードを二次元バーコードとして表示し、
前記身分証明プログラムは、さらに、
前記身分証明カード確認装置の読取部が、前記身分証明カードに表示された二次元バーコードから認証コードを読み取る読取処理をコンピュータに実行させ、
前記身分証明カード照会処理は、前記身分証明カード確認装置の身分証明カード照会部が、前記読取部により読み取られた認証コードに対応する身分情報を照会することを特徴とする請求項１７に記載の身分証明プログラム。
【請求項２１】
前記身分情報は、前記身分証明カードの有効期限を示す期限情報を含み、
前記照会情報生成処理は、前記身分証明装置の照会情報生成部が、取得した身分情報に含まれる期限情報に基づいて、現在時刻と前記身分証明カードの有効期限とを比較し、前記身分証明カードが有効であるかどうかを示す有効無効情報を照会情報に含めることを特徴とする請求項１７に記載の身分証明プログラム。
【請求項２２】
前記身分情報は、前記ユーザが所定の時刻に所定の場所を訪問する予定があるかどうかを示す行動予定情報を含み、
前記入力処理は、前記身分証明カード確認装置の入力部が、前記ユーザの行動予定を照会する時刻を指定し、
前記照会情報生成処理は、前記身分証明装置の照会情報生成部が、取得した身分情報に含まれる行動予定情報に基づいて、前記身分証明カード確認装置の入力部により指定された時刻に前記ユーザが訪問する予定の場所を示す場所情報を照会情報に含めることを特徴とする請求項１７に記載の身分証明プログラム。
【発明の詳細な説明】
【技術分野】
【０００１】
本発明は、身分証明システム及び身分証明方法及び身分証明プログラムに関するものである。特に、身分証明カードを作成し、その内容をＡＳＰ（アプリケーションサービスプロバイダ）などのセンターへ登録しておくことにより、この身分証明カードから、何処からでも誰でも、インターネットなどのネットワークを介して当該センターよりその内容が確認できるサービス（身分証明サービス）を提供するシステム及び方法及びプログラムに関する。
【背景技術】
【０００２】
これまで身分証明に使用できるものとしては学生証、免許証、社員証などの身分証明書があったが、企業訪問などにおいては名刺など、容易に偽造できるものが主であった。最近、ＩＣ（集積回路）カード付きの身分証明書も使用されているが、この方法でも、（カード盗難などによる）なりすましの危険性がある。
【０００３】
時刻を証明するために、当該時刻を示す時刻情報と当該時刻にしか得られない一意のデータとを合成して認証コードを発行する方法が公知である（例えば、特許文献１参照）。この方法を用いるサービスとしては、例えば、ＣＯＣＯ−ＤＡＴＥＳ（登録商標）サービスがある（ウェブサイトＵＲＬ＜ｈｔｔｐ：／／ｗｗｗ．ｍｉｔｓｕｂｉｓｈｉｅｌｅｃｔｒｉｃ．ｃｏ．ｊｐ／ｃｏｃｏ−ｄａｔｅｓ／＞）。
【特許文献１】特開２００１−２９７０６２号公報
【発明の開示】
【発明が解決しようとする課題】
【０００４】
近年、個人情報保護法の施行、ＩＳＭＳ（情報セキュリティマネジメントシステム）／ＢＳ（英国標準）７７９９の導入により機密情報に対する企業のセキュティ意識が高まっている。その中、企業のオフィス内での複写機の点検やフロア清掃などはアウトソースされており、社員以外の人間がオフィスに頻繁に出入りすることから、多くのリスクが潜在化している。また、一般市民の生活においても同様に、生命保険や宅配便などの訪問について、本来は必要な身分証明が徹底されていない状況である。このような状況において、従来の身分証明では、身分証明書の偽造や盗難などによるなりすましを防ぐことができないという課題があった。また、ＩＣカードなど、身分証明のためのシステムを導入するには多大なコストがかかるという課題があった。
【０００５】
本発明は、例えば、第三者による安価な身分証明サービスを提供し、身分証明書の偽造や盗難によるなりすましを困難にすることを目的とする。
【課題を解決するための手段】
【０００６】
本発明に係る身分証明システムは、
身分証明カードを用いてユーザの身分を証明する身分証明システムにおいて、
前記ユーザに関する身分情報を入力する入力部と、
時刻を示す時刻情報と当該時刻にしか得られない一意のデータとを合成して当該時刻を証明するための認証コードを発行する認証サービスを提供するとともに前記認証サービスの契約者に関する契約者情報を予めデータベースに記憶する認証装置から、所定の時刻を証明するための認証コードを取得する認証コード取得部と、
前記入力部により入力された身分情報と前記認証コード取得部により取得された認証コードとを表示する身分証明カードの出力イメージを生成する身分証明カード生成部と、
前記入力部により入力された身分情報と前記認証コード取得部により取得された認証コードとを対応付けて登録することを要求する身分情報登録部とを有する身分証明カード発行装置と、
前記身分証明カード発行装置の入力部により入力された身分情報と前記データベースに記憶された契約者情報とが一致するかどうかを検証する検証部と、
前記検証部による検証が成功した場合に、前記身分証明カード発行装置の身分情報登録部による要求に従って、前記身分証明カード発行装置の入力部により入力された身分情報と前記身分証明カード発行装置の認証コード取得部により取得された認証コードとを対応付けて記憶する身分情報管理部とを有する身分証明装置とを備え、
前記身分証明カード発行装置は、さらに、
前記身分情報登録部による登録の要求が成功した場合に、前記身分証明カード生成部により生成された出力イメージに基づいて身分証明カードを出力する出力部を有することを特徴とする。
【０００７】
前記身分証明カード発行装置は、さらに、
前記ユーザの写真を撮影する撮影部を有し、
前記身分証明カード発行装置の認証コード取得部は、前記所定の時刻として、前記撮影部により前記写真が撮影された時刻を証明するための認証コードを取得し、
前記身分証明カード発行装置は、さらに、
前記撮影部により撮影された写真と前記認証コード取得部により取得された認証コードとを対応付けて前記データベースに登録する写真登録部を有し、
前記身分証明カード発行装置の身分証明カード生成部は、前記入力部により入力された身分情報と前記撮影部により撮影された写真と前記認証コード取得部により取得された認証コードとを表示する身分証明カードの出力イメージを生成し、
前記身分証明装置の検証部は、さらに、前記身分証明カード発行装置の認証コード取得部により取得された認証コードに対応する写真が前記身分証明カード発行装置の写真登録部により前記データベースに登録されているかどうかを検証することを特徴とする。
【０００８】
前記身分証明カード発行装置の入力部は、身分情報を更新する身分更新情報と更新する身分情報に対応する認証コードとを入力し、
前記身分証明カード発行装置は、さらに、
前記入力部により入力された認証コードに対応する身分情報を前記入力部により入力された身分更新情報に更新することを要求する身分情報更新部を有し、
前記身分証明装置の身分情報管理部は、前記身分証明カード発行装置の身分情報更新部による要求に従って、前記身分証明カード発行装置の入力部により入力された認証コードに対応する身分情報を前記身分証明カード発行装置の入力部により入力された身分更新情報に更新することを特徴とする。
【０００９】
前記身分証明システムは、さらに、
前記身分証明コード発行装置の出力部により出力された身分証明カードに表示された認証コードを入力する入力部と、
前記入力部により入力された認証コードに対応する身分情報を照会する身分証明カード照会部とを有する身分証明カード確認装置を備え、
前記身分証明装置は、さらに、
前記身分証明カード確認装置の身分証明カード照会部による照会に従って、前記身分証明カード確認装置の入力部により入力された認証コードが証明する時刻を示す時刻情報を前記認証装置から取得し、当該認証コードに対応する写真を前記データベースから取得し、当該認証コードに対応する身分情報を前記身分情報管理部から取得し、取得した時刻情報と写真と身分情報とを照会情報として生成する照会情報生成部を有し、
前記身分証明カード確認装置は、さらに、
前記身分証明装置の照会情報生成部により生成された照会情報を出力する出力部を有することを特徴とする。
【００１０】
前記認証装置は、時刻を示す時刻情報と当該時刻にしか得られない一意のデータと位置を示す位置情報とを合成して当該時刻及び位置を証明するための認証コードを発行する認証サービスを提供し、
前記身分証明カード発行装置の認証コード取得部は、前記認証装置から前記撮影部により前記写真が撮影された時刻及び位置を証明するための認証コードを取得することを特徴とする。
【００１１】
前記身分証明カード発行装置は、さらに、
前記撮影部により撮影された写真と前記認証コード取得部により取得された認証コードとを合成して認証コード付き写真を生成する撮影写真加工部を有し、
前記身分証明カード発行装置の写真登録部は、前記写真として、前記撮影写真加工部により生成された認証コード付き写真を前記データベースに登録し、
前記身分証明カードは、前記写真として、前記撮影写真加工部により生成された認証コード付き写真を表示することを特徴とする。
【００１２】
前記身分証明カードは、前記認証コードを二次元バーコードとして表示し、
前記身分証明カード確認装置は、さらに、
前記身分証明カードに表示された二次元バーコードから認証コードを読み取る読取部を有し、
前記身分証明カード確認装置の身分証明カード照会部は、前記読取部により読み取られた認証コードに対応する身分情報を照会することを特徴とする。
【００１３】
前記身分情報は、前記身分証明カードの有効期限を示す期限情報を含み、
前記身分証明装置の照会情報生成部は、取得した身分情報に含まれる期限情報に基づいて、現在時刻と前記身分証明カードの有効期限とを比較し、前記身分証明カードが有効であるかどうかを示す有効無効情報を照会情報に含めることを特徴とする。
【００１４】
前記身分情報は、前記ユーザが所定の時刻に所定の場所を訪問する予定があるかどうかを示す行動予定情報を含み、
前記身分証明カード確認装置の入力部は、前記ユーザの行動予定を照会する時刻を指定し、
前記身分証明装置の照会情報生成部は、取得した身分情報に含まれる行動予定情報に基づいて、前記身分証明カード確認装置の入力部により指定された時刻に前記ユーザが訪問する予定の場所を示す場所情報を照会情報に含めることを特徴とする。
【００１５】
また、本発明に係る身分証明方法は、
身分証明カードを用いてユーザの身分を証明する身分証明方法において、
身分証明カード発行装置の入力部が、前記ユーザに関する身分情報を入力する第１の入力ステップと、
前記身分証明カード発行装置の認証コード取得部が、時刻を示す時刻情報と当該時刻にしか得られない一意のデータとを合成して当該時刻を証明するための認証コードを発行する認証サービスを提供するとともに前記認証サービスの契約者に関する契約者情報を予めデータベースに記憶する認証装置から、所定の時刻を証明するための認証コードを取得する認証コード取得ステップと、
前記身分証明カード発行装置の身分証明カード生成部が、前記入力部により入力された身分情報と前記認証コード取得部により取得された認証コードとを表示する身分証明カードの出力イメージを生成する身分証明カード生成ステップと、
前記身分証明カード発行装置の身分情報登録部が、前記入力部により入力された身分情報と前記認証コード取得部により取得された認証コードとを対応付けて登録することを要求する身分情報登録ステップと、
身分証明装置の検証部が、前記身分証明カード発行装置の入力部により入力された身分情報と前記データベースに記憶された契約者情報とが一致するかどうかを検証する検証ステップと、
前記身分証明装置の身分情報管理部が、前記検証部による検証が成功した場合に、前記身分証明カード発行装置の身分情報登録部による要求に従って、前記身分証明カード発行装置の入力部により入力された身分情報と前記身分証明カード発行装置の認証コード取得部により取得された認証コードとを対応付けて記憶する第１の身分情報管理ステップと、
前記身分証明カード発行装置の出力部が、前記身分情報登録部による登録の要求が成功した場合に、前記身分証明カード生成部により生成された出力イメージに基づいて身分証明カードを出力する第１の出力ステップとを備えることを特徴とする。
【００１６】
前記身分証明方法は、さらに、
前記身分証明カード発行装置の撮影部が、前記ユーザの写真を撮影する撮影ステップを備え、
前記認証コード取得ステップは、前記身分証明カード発行装置の認証コード取得部が、前記所定の時刻として、前記撮影部により前記写真が撮影された時刻を証明するための認証コードを取得し、
前記身分証明方法は、さらに、
前記身分証明カード発行装置の写真登録部が、前記撮影部により撮影された写真と前記認証コード取得部により取得された認証コードとを対応付けて前記データベースに登録する写真登録ステップを備え、
前記身分証明カード生成ステップは、前記身分証明カード発行装置の身分証明カード生成部が、前記入力部により入力された身分情報と前記撮影部により撮影された写真と前記認証コード取得部により取得された認証コードとを表示する身分証明カードの出力イメージを生成し、
前記検証ステップは、さらに、前記身分証明装置の検証部が、前記身分証明カード発行装置の認証コード取得部により取得された認証コードに対応する写真が前記身分証明カード発行装置の写真登録部により前記データベースに登録されているかどうかを検証することを特徴とする。
【００１７】
前記身分証明方法は、さらに、
前記身分証明カード発行装置の入力部が、身分情報を更新する身分更新情報と更新する身分情報に対応する認証コードとを入力する第２の入力ステップと、
前記身分証明カード発行装置の身分情報更新部が、前記入力部により入力された認証コードに対応する身分情報を前記入力部により入力された身分更新情報に更新することを要求する身分情報更新ステップと、
前記身分証明装置の身分情報管理部が、前記身分証明カード発行装置の身分情報更新部による要求に従って、前記身分証明カード発行装置の入力部により入力された認証コードに対応する身分情報を前記身分証明カード発行装置の入力部により入力された身分更新情報に更新する第２の身分情報管理ステップとを備えることを特徴とする。
【００１８】
前記身分証明方法は、さらに、
身分証明カード確認装置の入力部が、前記身分証明コード発行装置の出力部により出力された身分証明カードに表示された認証コードを入力する第２の入力ステップと、
前記身分証明カード確認装置の身分証明カード照会部が、前記身分証明カード確認装置の入力部により入力された認証コードに対応する身分情報を照会する身分証明カード照会ステップと、
前記身分証明装置の照会情報生成部が、前記身分証明カード確認装置の身分証明カード照会部による照会に従って、前記身分証明カード確認装置の入力部により入力された認証コードが証明する時刻を示す時刻情報を前記認証装置から取得し、当該認証コードに対応する写真を前記データベースから取得し、当該認証コードに対応する身分情報を前記身分情報管理部から取得し、取得した時刻情報と写真と身分情報とを照会情報として生成する照会情報生成ステップと、
前記身分証明カード確認装置の出力部が、前記身分証明装置の照会情報生成部により生成された照会情報を出力する第２の出力ステップとを備えることを特徴とする。
【００１９】
また、本発明に係る身分証明プログラムは、
身分証明カードを用いてユーザの身分を証明する身分証明プログラムにおいて、
身分証明カード発行装置の入力部が、前記ユーザに関する身分情報を入力する第１の入力処理と、
前記身分証明カード発行装置の認証コード取得部が、時刻を示す時刻情報と当該時刻にしか得られない一意のデータとを合成して当該時刻を証明するための認証コードを発行する認証サービスを提供するとともに前記認証サービスの契約者に関する契約者情報を予めデータベースに記憶する認証装置から、所定の時刻を証明するための認証コードを取得する認証コード取得処理と、
前記身分証明カード発行装置の身分証明カード生成部が、前記入力部により入力された身分情報と前記認証コード取得部により取得された認証コードとを表示する身分証明カードの出力イメージを生成する身分証明カード生成処理と、
前記身分証明カード発行装置の身分情報登録部が、前記入力部により入力された身分情報と前記認証コード取得部により取得された認証コードとを対応付けて登録することを要求する身分情報登録処理と、
身分証明装置の検証部が、前記身分証明カード発行装置の入力部により入力された身分情報と前記データベースに記憶された契約者情報とが一致するかどうかを検証する検証処理と、
前記身分証明装置の身分情報管理部が、前記検証部による検証が成功した場合に、前記身分証明カード発行装置の身分情報登録部による要求に従って、前記身分証明カード発行装置の入力部により入力された身分情報と前記身分証明カード発行装置の認証コード取得部により取得された認証コードとを対応付けて記憶する第１の身分情報管理処理と、
前記身分証明カード発行装置の出力部が、前記身分情報登録部による登録の要求が成功した場合に、前記身分証明カード生成部により生成された出力イメージに基づいて身分証明カードを出力する第１の出力処理とをコンピュータに実行させることを特徴とする。
【００２０】
前記身分証明プログラムは、さらに、
前記身分証明カード発行装置の撮影部が、前記ユーザの写真を撮影する撮影処理をコンピュータに実行させ、
前記認証コード取得処理は、前記身分証明カード発行装置の認証コード取得部が、前記所定の時刻として、前記撮影部により前記写真が撮影された時刻を証明するための認証コードを取得し、
前記身分証明プログラムは、さらに、
前記身分証明カード発行装置の写真登録部が、前記撮影部により撮影された写真と前記認証コード取得部により取得された認証コードとを対応付けて前記データベースに登録する写真登録処理をコンピュータに実行させ、
前記身分証明カード生成処理は、前記身分証明カード発行装置の身分証明カード生成部が、前記入力部により入力された身分情報と前記撮影部により撮影された写真と前記認証コード取得部により取得された認証コードとを表示する身分証明カードの出力イメージを生成し、
前記検証処理は、さらに、前記身分証明装置の検証部が、前記身分証明カード発行装置の認証コード取得部により取得された認証コードに対応する写真が前記身分証明カード発行装置の写真登録部により前記データベースに登録されているかどうかを検証することを特徴とする。
【００２１】
前記身分証明プログラムは、さらに、
前記身分証明カード発行装置の入力部が、身分情報を更新する身分更新情報と更新する身分情報に対応する認証コードとを入力する第２の入力処理と、
前記身分証明カード発行装置の身分情報更新部が、前記入力部により入力された認証コードに対応する身分情報を前記入力部により入力された身分更新情報に更新することを要求する身分情報更新処理と、
前記身分証明装置の身分情報管理部が、前記身分証明カード発行装置の身分情報更新部による要求に従って、前記身分証明カード発行装置の入力部により入力された認証コードに対応する身分情報を前記身分証明カード発行装置の入力部により入力された身分更新情報に更新する第２の身分情報管理処理とをコンピュータに実行させることを特徴とする。
【００２２】
前記身分証明プログラムは、さらに、
身分証明カード確認装置の入力部が、前記身分証明コード発行装置の出力部により出力された身分証明カードに表示された認証コードを入力する第２の入力処理と、
前記身分証明カード確認装置の身分証明カード照会部が、前記身分証明カード確認装置の入力部により入力された認証コードに対応する身分情報を照会する身分証明カード照会処理と、
前記身分証明装置の照会情報生成部が、前記身分証明カード確認装置の身分証明カード照会部による照会に従って、前記身分証明カード確認装置の入力部により入力された認証コードが証明する時刻を示す時刻情報を前記認証装置から取得し、当該認証コードに対応する写真を前記データベースから取得し、当該認証コードに対応する身分情報を前記身分情報管理部から取得し、取得した時刻情報と写真と身分情報とを照会情報として生成する照会情報生成処理と、
前記身分証明カード確認装置の出力部が、前記身分証明装置の照会情報生成部により生成された照会情報を出力する第２の出力処理とをコンピュータに実行させることを特徴とする。
【００２３】
前記認証装置は、時刻を示す時刻情報と当該時刻にしか得られない一意のデータと位置を示す位置情報とを合成して当該時刻及び位置を証明するための認証コードを発行する認証サービスを提供し、
前記認証コード取得処理は、前記身分証明カード発行装置の認証コード取得部が、前記認証装置から前記撮影部により前記写真が撮影された時刻及び位置を証明するための認証コードを取得することを特徴とする。
【００２４】
前記身分証明プログラムは、さらに、
前記身分証明カード発行装置の撮影写真加工部が、前記撮影部により撮影された写真と前記認証コード取得部により取得された認証コードとを合成して認証コード付き写真を生成する撮影写真加工処理をコンピュータに実行させ、
前記写真登録処理は、前記身分証明カード発行装置の写真登録部が、前記写真として、前記撮影写真加工部により生成された認証コード付き写真を前記データベースに登録し、
前記身分証明カードは、前記写真として、前記撮影写真加工部により生成された認証コード付き写真を表示することを特徴とする。
【００２５】
前記身分証明カードは、前記認証コードを二次元バーコードとして表示し、
前記身分証明プログラムは、さらに、
前記身分証明カード確認装置の読取部が、前記身分証明カードに表示された二次元バーコードから認証コードを読み取る読取処理をコンピュータに実行させ、
前記身分証明カード照会処理は、前記身分証明カード確認装置の身分証明カード照会部が、前記読取部により読み取られた認証コードに対応する身分情報を照会することを特徴とする。
【００２６】
前記身分情報は、前記身分証明カードの有効期限を示す期限情報を含み、
前記照会情報生成処理は、前記身分証明装置の照会情報生成部が、取得した身分情報に含まれる期限情報に基づいて、現在時刻と前記身分証明カードの有効期限とを比較し、前記身分証明カードが有効であるかどうかを示す有効無効情報を照会情報に含めることを特徴とする。
【００２７】
前記身分情報は、前記ユーザが所定の時刻に所定の場所を訪問する予定があるかどうかを示す行動予定情報を含み、
前記入力処理は、前記身分証明カード確認装置の入力部が、前記ユーザの行動予定を照会する時刻を指定し、
前記照会情報生成処理は、前記身分証明装置の照会情報生成部が、取得した身分情報に含まれる行動予定情報に基づいて、前記身分証明カード確認装置の入力部により指定された時刻に前記ユーザが訪問する予定の場所を示す場所情報を照会情報に含めることを特徴とする。
【発明の効果】
【００２８】
本発明では、身分証明システムにおいて、身分証明カード発行装置の認証コード取得部が、時刻を示す時刻情報と当該時刻にしか得られない一意のデータとを合成して当該時刻を証明するための認証コードを発行する認証サービスを提供するとともに認証サービスの契約者に関する契約者情報を予めデータベースに記憶する認証装置から、所定の時刻を証明するための認証コードを取得し、身分証明カード生成部が、入力部により入力された身分情報と認証コード取得部により取得された認証コードとを表示する身分証明カードの出力イメージを生成し、身分証明装置の検証部が、身分証明カード発行装置の入力部により入力された身分情報とデータベースに記憶された契約者情報とが一致するかどうかを検証し、身分情報管理部が、検証部による検証が成功した場合に、身分証明カード発行装置の身分情報登録部による要求に従って、身分証明カード発行装置の入力部により入力された身分情報と身分証明カード発行装置の認証コード取得部により取得された認証コードとを対応付けて記憶し、身分証明カード発行装置の出力部が、身分情報登録部による登録の要求が成功した場合に、身分証明カード生成部により生成された出力イメージに基づいて身分証明カードを出力することにより、身分証明装置により安価な身分証明サービスを提供し、身分証明カードの偽造や盗難によるなりすましを困難にすることが可能となる。
【００２９】
また、身分証明システムにおいて、身分証明カード発行装置の認証コード取得部が、撮影部により写真が撮影された時刻を証明するための認証コードを取得し、写真登録部が、撮影部により撮影された写真と認証コード取得部により取得された認証コードとを対応付けてデータベースに登録し、身分証明カード生成部が、入力部により入力された身分情報と撮影部により撮影された写真と認証コード取得部により取得された認証コードとを表示する身分証明カードの出力イメージを生成し、身分証明装置の検証部が、身分証明カード発行装置の認証コード取得部により取得された認証コードに対応する写真が身分証明カード発行装置の写真登録部によりデータベースに登録されているかどうかを検証することにより、身分証明カードの偽造や盗難によるなりすましをより困難にすることが可能となる。
【００３０】
また、身分証明システムにおいて、身分証明カード発行装置の身分情報更新部が、入力部により入力された認証コードに対応する身分情報を入力部により入力された身分更新情報に更新することを要求し、身分証明装置の身分情報管理部が、身分証明カード発行装置の身分情報更新部による要求に従って、身分証明カード発行装置の入力部により入力された認証コードに対応する身分情報を身分証明カード発行装置の入力部により入力された身分更新情報に更新することにより、身分証明カードを更新することが可能となる。
【００３１】
また、身分証明システムにおいて、身分証明カード確認装置の身分証明カード照会部が、入力部により入力された認証コードに対応する身分情報を照会し、身分証明装置の照会情報生成部が、身分証明カード確認装置の身分証明カード照会部による照会に従って、身分証明カード確認装置の入力部により入力された認証コードが証明する時刻を示す時刻情報を認証装置から取得し、当該認証コードに対応する写真をデータベースから取得し、当該認証コードに対応する身分情報を身分情報管理部から取得し、取得した時刻情報と写真と身分情報とを照会情報として生成し、身分証明カード確認装置の出力部が、身分証明装置の照会情報生成部により生成された照会情報を出力することにより、身分証明カードを用いて容易に本人確認をすることが可能となる。
【００３２】
また、身分証明システムにおいて、身分証明カード発行装置の認証コード取得部が、認証装置から撮影部により写真が撮影された時刻及び位置を証明するための認証コードを取得することにより、身分証明カードの偽造や盗難によるなりすましをより一層困難にすることが可能となる。
【００３３】
また、身分証明システムにおいて、身分証明カード発行装置の撮影写真加工部が、撮影部により撮影された写真と認証コード取得部により取得された認証コードとを合成して認証コード付き写真を生成し、身分証明カード発行装置の写真登録部が、写真として、撮影写真加工部により生成された認証コード付き写真をデータベースに登録することにより、身分証明カードに表示される写真と認証コードとの対応付けをより確実なものとすることが可能となる。
【００３４】
また、身分証明システムにおいて、身分証明カード確認装置の読取部が、身分証明カードに表示された二次元バーコードから認証コードを読み取り、身分証明カード確認装置の身分証明カード照会部が、読取部により読み取られた認証コードに対応する身分情報を照会することにより、認証コードの手動で入力する手間を省くことが可能となる。
【００３５】
また、身分証明システムにおいて、身分証明装置の照会情報生成部が、取得した身分情報に含まれる期限情報に基づいて、現在時刻と身分証明カードの有効期限とを比較し、身分証明カードが有効であるかどうかを示す有効無効情報を照会情報に含めることにより、有効期限が切れた身分証明カードの使用によるなりすましを防ぐことが可能となる。
【００３６】
また、身分証明システムにおいて、身分証明装置の照会情報生成部が、取得した身分情報に含まれる行動予定情報に基づいて、身分証明カード確認装置の入力部により指定された時刻にユーザが訪問する予定の場所を示す場所情報を照会情報に含めることにより、身分証明カードの不正使用を防ぐことが可能となる。
【００３７】
また、本発明では、身分証明方法として、身分証明カード発行装置の認証コード取得部が、時刻を示す時刻情報と当該時刻にしか得られない一意のデータとを合成して当該時刻を証明するための認証コードを発行する認証サービスを提供するとともに認証サービスの契約者に関する契約者情報を予めデータベースに記憶する認証装置から、所定の時刻を証明するための認証コードを取得し、身分証明カード生成部が、入力部により入力された身分情報と認証コード取得部により取得された認証コードとを表示する身分証明カードの出力イメージを生成し、身分証明装置の検証部が、身分証明カード発行装置の入力部により入力された身分情報とデータベースに記憶された契約者情報とが一致するかどうかを検証し、身分情報管理部が、検証部による検証が成功した場合に、身分証明カード発行装置の身分情報登録部による要求に従って、身分証明カード発行装置の入力部により入力された身分情報と身分証明カード発行装置の認証コード取得部により取得された認証コードとを対応付けて記憶し、身分証明カード発行装置の出力部が、身分情報登録部による登録の要求が成功した場合に、身分証明カード生成部により生成された出力イメージに基づいて身分証明カードを出力することにより、身分証明装置により安価な身分証明サービスを提供し、身分証明カードの偽造や盗難によるなりすましを困難にすることが可能となる。
【００３８】
また、身分証明方法として、身分証明カード発行装置の認証コード取得部が、撮影部により写真が撮影された時刻を証明するための認証コードを取得し、写真登録部が、撮影部により撮影された写真と認証コード取得部により取得された認証コードとを対応付けてデータベースに登録し、身分証明カード生成部が、入力部により入力された身分情報と撮影部により撮影された写真と認証コード取得部により取得された認証コードとを表示する身分証明カードの出力イメージを生成し、身分証明装置の検証部が、身分証明カード発行装置の認証コード取得部により取得された認証コードに対応する写真が身分証明カード発行装置の写真登録部によりデータベースに登録されているかどうかを検証することにより、身分証明カードの偽造や盗難によるなりすましをより困難にすることが可能となる。
【００３９】
また、身分証明方法として、身分証明カード発行装置の身分情報更新部が、入力部により入力された認証コードに対応する身分情報を入力部により入力された身分更新情報に更新することを要求し、身分証明装置の身分情報管理部が、身分証明カード発行装置の身分情報更新部による要求に従って、身分証明カード発行装置の入力部により入力された認証コードに対応する身分情報を身分証明カード発行装置の入力部により入力された身分更新情報に更新することにより、身分証明カードを更新することが可能となる。
【００４０】
また、身分証明方法として、身分証明カード確認装置の身分証明カード照会部が、入力部により入力された認証コードに対応する身分情報を照会し、身分証明装置の照会情報生成部が、身分証明カード確認装置の身分証明カード照会部による照会に従って、身分証明カード確認装置の入力部により入力された認証コードが証明する時刻を示す時刻情報を認証装置から取得し、当該認証コードに対応する写真をデータベースから取得し、当該認証コードに対応する身分情報を身分情報管理部から取得し、取得した時刻情報と写真と身分情報とを照会情報として生成し、身分証明カード確認装置の出力部が、身分証明装置の照会情報生成部により生成された照会情報を出力することにより、身分証明カードを用いて容易に本人確認をすることが可能となる。
【００４１】
本発明では、身分証明プログラムにより、身分証明カード発行装置の認証コード取得部が、時刻を示す時刻情報と当該時刻にしか得られない一意のデータとを合成して当該時刻を証明するための認証コードを発行する認証サービスを提供するとともに認証サービスの契約者に関する契約者情報を予めデータベースに記憶する認証装置から、所定の時刻を証明するための認証コードを取得し、身分証明カード生成部が、入力部により入力された身分情報と認証コード取得部により取得された認証コードとを表示する身分証明カードの出力イメージを生成し、身分証明装置の検証部が、身分証明カード発行装置の入力部により入力された身分情報とデータベースに記憶された契約者情報とが一致するかどうかを検証し、身分情報管理部が、検証部による検証が成功した場合に、身分証明カード発行装置の身分情報登録部による要求に従って、身分証明カード発行装置の入力部により入力された身分情報と身分証明カード発行装置の認証コード取得部により取得された認証コードとを対応付けて記憶し、身分証明カード発行装置の出力部が、身分情報登録部による登録の要求が成功した場合に、身分証明カード生成部により生成された出力イメージに基づいて身分証明カードを出力することにより、身分証明装置により安価な身分証明サービスを提供し、身分証明カードの偽造や盗難によるなりすましを困難にすることが可能となる。
【００４２】
また、身分証明プログラムにより、身分証明カード発行装置の認証コード取得部が、撮影部により写真が撮影された時刻を証明するための認証コードを取得し、写真登録部が、撮影部により撮影された写真と認証コード取得部により取得された認証コードとを対応付けてデータベースに登録し、身分証明カード生成部が、入力部により入力された身分情報と撮影部により撮影された写真と認証コード取得部により取得された認証コードとを表示する身分証明カードの出力イメージを生成し、身分証明装置の検証部が、身分証明カード発行装置の認証コード取得部により取得された認証コードに対応する写真が身分証明カード発行装置の写真登録部によりデータベースに登録されているかどうかを検証することにより、身分証明カードの偽造や盗難によるなりすましをより困難にすることが可能となる。
【００４３】
また、身分証明プログラムにより、身分証明カード発行装置の身分情報更新部が、入力部により入力された認証コードに対応する身分情報を入力部により入力された身分更新情報に更新することを要求し、身分証明装置の身分情報管理部が、身分証明カード発行装置の身分情報更新部による要求に従って、身分証明カード発行装置の入力部により入力された認証コードに対応する身分情報を身分証明カード発行装置の入力部により入力された身分更新情報に更新することにより、身分証明カードを更新することが可能となる。
【００４４】
また、身分証明プログラムにより、身分証明カード確認装置の身分証明カード照会部が、入力部により入力された認証コードに対応する身分情報を照会し、身分証明装置の照会情報生成部が、身分証明カード確認装置の身分証明カード照会部による照会に従って、身分証明カード確認装置の入力部により入力された認証コードが証明する時刻を示す時刻情報を認証装置から取得し、当該認証コードに対応する写真をデータベースから取得し、当該認証コードに対応する身分情報を身分情報管理部から取得し、取得した時刻情報と写真と身分情報とを照会情報として生成し、身分証明カード確認装置の出力部が、身分証明装置の照会情報生成部により生成された照会情報を出力することにより、身分証明カードを用いて容易に本人確認をすることが可能となる。
【００４５】
また、身分証明プログラムにより、身分証明カード発行装置の認証コード取得部が、認証装置から撮影部により写真が撮影された時刻及び位置を証明するための認証コードを取得することにより、身分証明カードの偽造や盗難によるなりすましをより一層困難にすることが可能となる。
【００４６】
また、身分証明プログラムにより、身分証明カード発行装置の撮影写真加工部が、撮影部により撮影された写真と認証コード取得部により取得された認証コードとを合成して認証コード付き写真を生成し、身分証明カード発行装置の写真登録部が、写真として、撮影写真加工部により生成された認証コード付き写真をデータベースに登録することにより、身分証明カードに表示される写真と認証コードとの対応付けをより確実なものとすることが可能となる。
【００４７】
また、身分証明プログラムにより、身分証明カード確認装置の読取部が、身分証明カードに表示された二次元バーコードから認証コードを読み取り、身分証明カード確認装置の身分証明カード照会部が、読取部により読み取られた認証コードに対応する身分情報を照会することにより、認証コードの手動で入力する手間を省くことが可能となる。
【００４８】
また、身分証明プログラムにより、身分証明装置の照会情報生成部が、取得した身分情報に含まれる期限情報に基づいて、現在時刻と身分証明カードの有効期限とを比較し、身分証明カードが有効であるかどうかを示す有効無効情報を照会情報に含めることにより、有効期限が切れた身分証明カードの使用によるなりすましを防ぐことが可能となる。
【００４９】
また、身分証明プログラムにより、身分証明装置の照会情報生成部が、取得した身分情報に含まれる行動予定情報に基づいて、身分証明カード確認装置の入力部により指定された時刻にユーザが訪問する予定の場所を示す場所情報を照会情報に含めることにより、身分証明カードの不正使用を防ぐことが可能となる。
【発明を実施するための最良の形態】
【００５０】
以下、本発明の実施の形態について、図を用いて説明する。
【００５１】
実施の形態１．
図１は、本実施の形態に係る身分証明システムの概要を示す概念図である。
【００５２】
本実施の形態において、身分証明システム１００は、身分証明カード発行装置２００、認証センター装置３０１（認証装置の一例）、身分証明センター装置４０１（身分証明装置の一例）、身分証明カード確認装置５００を備える。
【００５３】
身分証明カード発行装置２００は、複写機の点検やフロア清掃を請け負う会社などにおいて、ユーザ（複合機の点検を行う者やフロア清掃員として派遣される者）の身分証明カード１０１を発行する（プリンタなどで印刷する）。身分証明カード１０１には、ユーザに関する身分情報（例えば、ユーザの会社名、所属部署名、氏名、身分証明カード１０１の有効期限など）、カメラで撮影されたユーザの写真１０２、写真１０２が撮影された位置や時刻を証明するための認証コード（例えば、ＣＯＣＯ−ＤＡＴＥＳ（登録商標）コード）が表示される。認証コードは二次元バーコード１０３（例えば、ＱＲコード（登録商標））として表示されてもよい。身分証明カード発行装置２００は、身分証明カード１０１を発行する際に、認証センター３００（例えば、ＣＯＣＯ−ＤＡＴＥＳ（登録商標）センター）に設置された認証センター装置３０１に対して問い合わせを行い、認証コードを取得する。そして、身分証明カード発行装置２００は、写真１０２を認証コードと対応付けて認証センター装置３０１の写真保管データベース３０３（データベースの一例）に登録する。身分証明カード発行装置２００は、同時に、身分証明カード発行装置２００は、身分証明センター４００（例えば、ＡＳＰ）に設置された身分証明センター装置４０１の身分情報管理部４０４（例えば、データベース）に認証コードと対応付けてユーザの身分登録をする。このとき、身分証明センター装置４０１は認証センター装置３０１と連携して、正当なユーザであると確認できた者のみの身分登録を行う。
【００５４】
ユーザは、企業を訪問する際に、身分証明カード発行装置２００により発行された身分証明カード１０１を持参する。身分証明カード確認装置５００（例えば、ＰＣ（パーソナルコンピュータ）や携帯電話）は、ユーザの訪問先の企業において、身分証明カード１０１に表示された認証コードや二次元バーコード１０３によりユーザの身分照会を行う。身分証明カード確認装置５００は、身分照会を行う際に、認証コードを用いて身分証明センター装置４０１に対して問い合わせを行い、身分照会の結果を取得する。身分証明カード確認装置５００は、身分照会の結果として、例えば、ユーザの会社名、所属部署名、氏名、身分証明カード１０１の有効期限などを出力する（同時に、認証コードにより証明される写真１０２が撮影された位置や時刻を出力してもよい）。これにより、ユーザの訪問先の企業がユーザの身分（身元）を確認できる。
【００５５】
上記のように、認証センター３００は認証サービスを提供し、身分証明センター４００は身分証明サービスを提供する。ユーザ又はユーザが所属する会社などは、これらのサービスを利用するために予め認証センター３００及び身分証明センター４００と契約を締結する。契約者となるユーザは、例えば、契約者１名あたり月額３００円を支払って上記のサービスを利用する。認証センター装置３０１の契約者情報データベース３０２（データベースの一例）には、契約者に関する契約者情報が登録され、身分証明センター装置４０１が身分情報管理部４０４にユーザの身分登録をする際に利用される。
【００５６】
また、上記のように、身分証明システム１００では、写真１０２が撮影された位置や時刻を証明するための認証コードが用いられる。認証コードは時刻のみを証明するものであってもよい。認証コードが証明する時刻は、写真１０２が正当なものであることが確認できる程度であれば（例えば、撮影日さえ確認できればよい場合など）、写真１０２が撮影された時刻と差があってもよい。認証コードが位置を証明する場合には、例えば、契約者情報の一部として契約者（ユーザ）の住所が契約者情報データベース３０２に登録される。そして、身分証明センター装置４０１がユーザの身分登録を行う際に、認証センター装置３０１が認証コードにより証明される位置と契約者の住所が一致するかどうかを確認し、その確認結果を身分証明センター装置４０１に通知する。身分証明センター装置４０１は、この確認結果を参照して、身分登録するユーザが正当なユーザであるかどうかを判断することが可能となる。
【００５７】
また、上記のように、認証センター装置３０１は、認証サービスとして、身分証明カード発行装置２００からの問い合わせに対し、認証コードを発行する。このとき、身分証明カード発行装置２００は、ＧＰＳ（全地球測位システム）衛星などから位置情報や時刻情報を受信して、受信した位置情報や時刻情報を認証センター装置３０１に送信する（時刻情報は身分証明カード発行装置２００の内部クロックなどにより生成してもよい）。認証センター装置３０１は、身分証明カード発行装置２００から位置情報や時刻情報を受信するとともに、受信した時刻情報が示す時刻にしか得られない一意のデータとして、例えば、気象庁などが配信する気象衛星画像を受信する。そして、受信した位置情報や時刻情報と気象衛星画像を合成して位置や時刻を証明するための認証コードを生成する。
【００５８】
また、上記のように、身分証明カード発行装置２００は身分証明センター装置４０１の身分情報管理部４０４にユーザの身分登録をする。身分証明カード発行装置２００は同様に、ユーザの身分更新、身分削除などを行う。
【００５９】
上記の身分証明システム１００を利用することにより、一般市民の生活における生命保険や宅配便などの訪問についても、上記と同様の身分証明サービスを提供することが可能である。この場合、例えば、身分証明カード確認装置５００としてインターホンを用いてもよい。具体的には、インターホンに二次元バーコード１０３を読み込む機能、インターネットなどを介して身分証明センター装置４０１と通信を行う機能などを実装することにより、玄関先などに設置されたインターホンに訪問者が身分証明カード１０１をかざすだけで、訪問先の家人が訪問者の身分を確認できる。
【００６０】
このように、第三者が提供するサービスを利用して身分を証明することにより、顧客（企業）へ安心感を与えることができる。さらに、訪問するユーザの会社側では身分証明カード１０１を発行するための簡易設備が必要となるが、安心を得る顧客（企業）側ではユーザの身分を確認するための設備がほとんど不要であり、設備投資の費用がかからないため、上記の身分証明サービスを適用する際の費用対効果が大きい。
【００６１】
図２は、本実施の形態に係る身分証明システム全体の構成を示すブロック図である。
【００６２】
身分証明システム１００を構成する身分証明カード発行装置２００、認証センター装置３０１、身分証明センター装置４０１、身分証明カード確認装置５００は、インターネット１５０（ネットワークの一例）を介して互いに通信を行う。前述した通り、身分証明カード発行装置２００は、認証センター装置３０１から認証コードを取得して、ユーザの写真１０２を認証コードと対応付けて認証センター装置３０１に登録するとともに、ユーザの身分情報を認証コードと対応付けて身分証明センター装置４０１に登録する。そして、身分証明カード１０１を発行する。身分証明センター装置４０１は、ユーザの身分情報を登録する際に、認証センター装置３０１と連携してユーザの妥当性を検証する。身分証明カード確認装置５００は、身分証明カード発行装置２００が発行した身分証明カード１０１から認証コードを読み取って、身分証明センター装置４０１から認証コードと対応する身分情報を取得し、身分証明カード１０１のユーザの身分確認をする。
【００６３】
図３は、本実施の形態に係る身分証明システムの詳細な構成を示すブロック図である。
【００６４】
本実施の形態において、身分証明カード発行装置２００は、入力部２０１、撮影部２０２、認証コード取得部２０３、撮影写真加工部２０４、写真登録部２０５、身分証明カード生成部２０６、身分証明カード登録部２０７（身分情報登録部の一例）、印刷部２０８（出力部の一例）、身分証明カード情報更新部２０９（身分情報更新部の一例）を有する。また、身分証明センター装置４０１は、身分証明カード登録受信部４０２、検証部４０３、身分情報管理部４０４、身分証明カード照会受信部４０５、照会部４０６、照会情報生成部４０７を有する。また、身分証明カード確認装置５００は、入力部５０１、読取部５０２、身分証明カード照会部５０３、照会結果表示部５０４（出力部の一例）を有する。各装置及び各部の動作については、以下に説明する。
【００６５】
図４は、身分証明カード発行装置２００が身分証明カード１０１を発行する際の身分証明システム１００（特に、身分証明カード発行装置２００及び身分証明センター装置４０１の各部）の動作（身分証明方法及び身分証明プログラムの一例）を示すフロー図である。
【００６６】
ステップＳ１０１（第１の入力ステップ（処理））において、身分証明カード発行装置２００の入力部２０１（例えば、キーボード、ＧＵＩ（グラフィックユーザインタフェース）など）は、身分証明カード１０１を作成するために身分情報、身分証明カード構成情報を入力する。身分情報には、身分証明カード１０１のユーザの会社名、所属部署名、氏名、行動予定情報、身分証明カード１０１の有効期限などが含まれる。行動予定情報は、ユーザの行動予定や行動範囲に関する情報であり、例えば、ユーザが所定の日に所定の場所を訪問する予定があるかどうかを示す。身分証明カード１０１の有効期限は、例えば、日付や時刻で示される。また、身分証明カード構成情報には、身分証明カード１０１のレイアウトを定める情報（デザイン、ロゴ、印字項目など）が含まれる。
【００６７】
ステップＳ１０２（撮影ステップ（処理））において、身分証明カード発行装置２００の撮影部２０２（例えば、デジタルカメラ、ＵＳＢ（ユニバーサルシリアルバス）カメラなど）は、身分証明カード１０１用の写真１０２を撮影する。
【００６８】
ステップＳ１０３（認証コード取得ステップ（処理））において、身分証明カード発行装置２００の認証コード取得部２０３は、ＧＰＳ衛星などから位置情報及び時刻情報を取得し、取得した位置情報及び時刻情報を認証センター装置３０１に送信する。認証センター装置３０１は、身分証明カード発行装置２００の認証コード取得部２０３から位置情報及び時刻情報を受信する。また、気象庁などに設置された気象情報配信装置から気象衛星画像を受信する（気象衛星から直接受信してもよい）。そして、受信した位置情報、時刻情報、気象衛星画像を合成して認証コードを生成し、身分証明カード発行装置２００の認証コード取得部２０３に送信する。身分証明カード発行装置２００の認証コード取得部２０３は、認証センター装置３０１から認証コードを受け取る。
【００６９】
ステップＳ１０４（写真登録ステップ（処理））において、身分証明カード発行装置２００の写真登録部２０５は、撮影部２０２が撮影した写真１０２（画像データ）を認証センター装置３０１の写真保管データベース３０３へ送信する。
【００７０】
ステップＳ１０５（身分証明カード生成ステップ（処理））において、身分証明カード発行装置２００の身分証明カード生成部２０６は、入力部２０１により入力された身分情報、身分証明カード構成情報、認証コード取得部２０３により取得された認証コード、撮影部２０２により撮影された写真１０２から、身分証明カード１０１の印刷イメージを生成する。
【００７１】
ステップＳ１０６（身分情報登録ステップ（処理））において、身分証明カード発行装置２００の身分証明カード登録部２０７は、認証コードと身分情報を身分証明センター装置４０１の身分証明カード登録受信部４０２へ送信してユーザの身分登録を要求する。身分証明センター装置４０１の身分証明カード登録受信部４０２は、身分証明カード発行装置２００の身分証明カード登録部２０７から認証コードと身分情報を受信する。
【００７２】
ステップＳ１０７及びＳ１０８（検証ステップ（処理））において、身分証明センター装置４０１の検証部４０３は、以下のように、身分証明カード登録受信部４０２が受信した認証コードと身分情報の検証を実施する。
【００７３】
身分証明センター装置４０１の検証部４０３は、まず、認証コードを認証センター装置３０１に問い合わせる。認証センター装置３０１は、身分証明センター装置４０１の検証部４０３から認証コードを受信し、受信した認証コードが自身が発行したものかどうかを検証する。また、その認証コードが発行された（その発行を要求した）ユーザの契約者情報を契約者情報データベース３０２から抽出する。そして、抽出した契約者情報を、認証コードを検証した結果に含め、認証コード検証結果として身分証明センター装置４０１の検証部４０３に送信する。契約者情報は、前述したように認証センター装置３０１が提供する認証サービスの契約者であるユーザの会社名や団体名などを含み、ユーザごとに予め契約者情報データベース３０２に登録されている。認証センター装置３０１は、さらに、受信した認証コードと対応する写真１０２が写真保管データベース３０３に登録されているかどうかを検証し、その結果を写真検証結果として身分証明センター装置４０１の検証部４０３に送信する。身分証明センター装置４０１の検証部４０３は、認証センター装置３０１から認証コード・写真検証結果を受け取る。
【００７４】
身分証明センター装置４０１の検証部４０３は、次に、（１）認証センター装置３０１から受け取った認証コード検証結果に基づいて、認証コードが正当なものかどうかを検証する。（２）写真検証結果に基づいて、認証コードに対応する写真１０２が存在するかどうかを検証する。（３）身分証明カード登録受信部４０２が受信した身分情報と、認証コード検証結果に含まれる契約者情報とを比較し、その内容に不整合がないかを検証する。
【００７５】
ステップＳ１０９及びＳ１１０（第１の身分情報管理ステップ（処理））において、身分証明センター装置４０１の検証部４０３は、検証結果がＯＫであれば（認証コードが正当なものであり、認証コードに対応する写真１０２が存在し、身分情報と契約者情報とに不整合がないことが確認できたら）、身分証明カード登録受信部４０２が受信した認証コードと身分情報を身分情報管理部４０４へ登録する。身分情報管理部４０４は、身分情報を識別するキー情報を独自で設定し、このキー情報と認証コードを紐付けて記憶してもよいし、身分情報のうち、会社名などを認証コードと紐付けるキー情報として設定してもよい。
【００７６】
ステップＳ１１１（第１の出力ステップ（処理））において、身分証明カード発行装置２００の印刷部２０８（例えば、プリンタなど）は、身分証明カード登録部２０７による身分証明センター装置４０１の身分情報管理部４０４への登録が成功した場合に、身分証明カード生成部２０６が生成した印刷イメージに基づいて、身分証明カード１０１を印刷する。
【００７７】
図５は、身分証明カード発行装置２００が身分証明カード１０１のユーザの身分更新をする際の身分証明システム１００（特に、身分証明カード発行装置２００及び身分証明センター装置４０１の各部）の動作（身分証明方法及び身分証明プログラムの一例）を示すフロー図である。
【００７８】
ステップＳ２０１（第２の入力ステップ（処理））において、身分証明カード発行装置２００の入力部２０１は、身分証明センター装置４０１の身分情報管理部４０４に登録された身分情報を更新するために、更新用の身分情報（以下、身分更新情報という）と更新対象の認証コード（更新する身分情報と対応する認証コード）を入力する。ただし、身分証明センター装置４０１の身分情報管理部４０４において、身分情報のうち、会社名などを認証コードと紐付けるキー情報として設定している場合、キー情報は変更不可とする。身分更新情報は、身分証明カードが有効であるか、無効であるかを設定する情報（フラグ）を含んでいてもよい。
【００７９】
ステップＳ２０２（身分情報更新ステップ（処理））において、身分証明カード発行装置２００の身分証明カード情報更新部２０９は、入力部２０１により入力された身分更新情報と更新対象の認証コードを、身分証明センター装置４０１の身分証明カード登録受信部４０２へ送信してユーザの身分更新を要求する。身分証明センター装置４０１の身分証明カード登録受信部４０２は、身分証明カード発行装置２００の身分証明カード情報更新部２０９から身分更新情報と認証コードを受信する。
【００８０】
ステップＳ２０３（第２の身分情報管理ステップ（処理））において、身分証明センター装置４０１の身分情報管理部４０４は、身分証明カード登録受信部４０２が受信した認証コードと対応する身分情報を、身分証明カード登録受信部４０２が受信した身分更新情報に更新登録する。ただし、キー情報（会社名などがキー情報の場合）が異なる場合はエラーとし、更新を受け付けない。
【００８１】
身分証明カード発行装置２００が身分証明カード１０１のユーザの身分削除をする際の身分証明システム１００の動作も、身分更新情報の入力などは不要であるが、上記と同様である。
【００８２】
図６は、身分証明カード確認装置５００が身分証明カード１０１のユーザの身分確認をする際の身分証明システム１００（特に、身分証明センター装置４０１及び身分証明カード確認装置５００の各部）の動作（身分証明方法及び身分証明プログラムの一例）を示すフロー図である。
【００８３】
ステップＳ３０１（第２の入力ステップ（処理））において、身分証明カード確認装置５００の入力部５０１（例えば、キーボードなど）は、身分証明カード１０１に記載された認証コードを入力する。入力部５０１は、任意の時刻における身分証明カード１０１のユーザの行動予定を照会するために、時刻（以下、照会時刻という。）を指定してもよい。
【００８４】
ステップＳ３０２（身分証明カード照会ステップ（処理））において、身分証明カード確認装置５００の身分証明カード照会部５０３は、身分証明センター装置４０１の身分証明カード照会受信部４０５に対し、入力部５０１により入力された認証コードを送信し、身分証明カード１０１のユーザの身分を照会する。身分証明センター装置４０１の身分証明カード照会受信部４０５は、身分証明カード確認装置５００の身分証明カード照会部５０３から認証コードを受け取る。
【００８５】
ステップＳ３０３及びＳ３０４（照会情報生成ステップ（処理））において、身分証明センター装置４０１の照会情報生成部４０７は、以下のように、認証センター装置３０１から認証コード・写真検証結果を受け取る。
【００８６】
身分証明センター装置４０１の照会部４０６は、身分証明カード照会受信部４０５が受け取った認証コードを認証センター装置３０１に問い合わせる。認証センター装置３０１は、身分証明センター装置４０１の照会部４０６から認証コードを受信し、受信した認証コードが自身が発行したものかどうかを検証する。また、その認証コードが発行された（その発行を要求した）ユーザの契約者情報を契約者情報データベース３０２から抽出する。そして、抽出した契約者情報を、認証コードを検証した結果（認証コードにより証明される時刻を示す時刻情報も含む）に含め、認証コード検証結果として身分証明センター装置４０１の照会部４０６に送信する。認証センター装置３０１は、さらに、受信した認証コードと対応する写真１０２が写真保管データベース３０３に登録されているかどうかを検証し、その結果（写真１０２の画像データも含む）を写真検証結果として身分証明センター装置４０１の照会部４０６に送信する。身分証明センター装置４０１の照会部４０６は、認証センター装置３０１から認証コード・写真検証結果を受信する。そして、照会情報生成部４０７は、照会部４０６から認証コード・写真検証結果を受け取る。
【００８７】
ステップＳ３０５（照会情報生成ステップ（処理））において、身分証明センター装置４０１の照会情報生成部４０７は、認証コードをキーにして身分情報管理部４０４から身分情報を抽出する。
【００８８】
ステップＳ３０６（照会情報生成ステップ（処理））において、身分証明センター装置４０１の照会情報生成部４０７は、身分情報管理部４０４から抽出した身分情報と照会部４０６から受け取った認証コード・写真検証結果から、身分情報と時刻情報と写真１０２などを含む照会情報を生成する。
【００８９】
ステップＳ３０５及びＳ３０６（照会情報生成ステップ（処理））において、身分証明センター装置４０１の照会情報生成部４０７は、以下のような照会情報を生成してもよい。
【００９０】
例えば、身分証明センター装置４０１の照会情報生成部４０７は、（１）特定のロジック（例えば、身分情報に含まれる身分証明カード１０１の有効期限と現在時刻を比較する。）に従い、有効期限切れの有無を確認し、その確認結果などを付帯情報として含む照会情報を生成する。（２）身分証明カード確認装置５００を利用する確認者に対する認証機能を用いて、一般（認証されていない確認者）には認証コード・写真検証結果のみを公開し、認証された確認者には身分情報も開示する。（３）身分証明カード確認装置５００の入力部５０１により照会時刻が入力された場合、身分情報の一部として予め登録された行動予定情報から、照会時刻の行動予定情報を抽出して表示する。ここで、情報の公開、開示、表示とは、その情報を含む照会情報を生成することをいう。
【００９１】
ステップＳ３０７（第２の出力ステップ（処理））において、身分証明カード確認装置５００の照会結果表示部５０４は、身分証明センター装置４０１の照会情報生成部４０７により生成された照会情報を表示する。確認者は照会結果表示部５０４により表示された照会情報と身分証明カード１０１の内容を比較し、会社名、所属部署、身分証明カードのユーザ本人と写真が一致するかどうか、行動予定などを確認することにより、身分証明カードの妥当性を判断する。
【００９２】
本実施の形態では、身分証明のために写真１０２を用いているが、写真１０２の利用は必須ではない。したがって、上記ステップＳ１０２、Ｓ１０４、Ｓ３０４などは省略可能である。
【００９３】
以上のように、本実施の形態では、身分証明システムにおいて、身分証明カード発行装置の認証コード取得部が、時刻を示す時刻情報と当該時刻にしか得られない一意のデータとを合成して当該時刻を証明するための認証コードを発行する認証サービスを提供するとともに認証サービスの契約者に関する契約者情報を予めデータベースに記憶する認証装置から、所定の時刻を証明するための認証コードを取得し、身分証明カード生成部が、入力部により入力された身分情報と認証コード取得部により取得された認証コードとを表示する身分証明カードの出力イメージを生成し、身分証明装置の検証部が、身分証明カード発行装置の入力部により入力された身分情報とデータベースに記憶された契約者情報とが一致するかどうかを検証し、身分情報管理部が、検証部による検証が成功した場合に、身分証明カード発行装置の身分情報登録部による要求に従って、身分証明カード発行装置の入力部により入力された身分情報と身分証明カード発行装置の認証コード取得部により取得された認証コードとを対応付けて記憶し、身分証明カード発行装置の出力部が、身分情報登録部による登録の要求が成功した場合に、身分証明カード生成部により生成された出力イメージに基づいて身分証明カードを出力することにより、身分証明装置により安価な身分証明サービスを提供し、身分証明カードの偽造や盗難によるなりすましを困難にすることが可能となる。
【００９４】
また、身分証明システムにおいて、身分証明カード発行装置の認証コード取得部が、撮影部により写真が撮影された時刻を証明するための認証コードを取得し、写真登録部が、撮影部により撮影された写真と認証コード取得部により取得された認証コードとを対応付けてデータベースに登録し、身分証明カード生成部が、入力部により入力された身分情報と撮影部により撮影された写真と認証コード取得部により取得された認証コードとを表示する身分証明カードの出力イメージを生成し、身分証明装置の検証部が、身分証明カード発行装置の認証コード取得部により取得された認証コードに対応する写真が身分証明カード発行装置の写真登録部によりデータベースに登録されているかどうかを検証することにより、身分証明カードの偽造や盗難によるなりすましをより困難にすることが可能となる。
【００９５】
また、身分証明システムにおいて、身分証明カード発行装置の身分情報更新部が、入力部により入力された認証コードに対応する身分情報を入力部により入力された身分更新情報に更新することを要求し、身分証明装置の身分情報管理部が、身分証明カード発行装置の身分情報更新部による要求に従って、身分証明カード発行装置の入力部により入力された認証コードに対応する身分情報を身分証明カード発行装置の入力部により入力された身分更新情報に更新することにより、身分証明カードを更新することが可能となる。
【００９６】
また、身分証明システムにおいて、身分証明カード確認装置の身分証明カード照会部が、入力部により入力された認証コードに対応する身分情報を照会し、身分証明装置の照会情報生成部が、身分証明カード確認装置の身分証明カード照会部による照会に従って、身分証明カード確認装置の入力部により入力された認証コードが証明する時刻を示す時刻情報を認証装置から取得し、当該認証コードに対応する写真をデータベースから取得し、当該認証コードに対応する身分情報を身分情報管理部から取得し、取得した時刻情報と写真と身分情報とを照会情報として生成し、身分証明カード確認装置の出力部が、身分証明装置の照会情報生成部により生成された照会情報を出力することにより、身分証明カードを用いて容易に本人確認をすることが可能となる。
【００９７】
また、身分証明システムにおいて、身分証明カード発行装置の認証コード取得部が、認証装置から撮影部により写真が撮影された時刻及び位置を証明するための認証コードを取得することにより、身分証明カードの偽造や盗難によるなりすましをより一層困難にすることが可能となる。
【００９８】
また、身分証明システムにおいて、身分証明装置の照会情報生成部が、取得した身分情報に含まれる期限情報に基づいて、現在時刻と身分証明カードの有効期限とを比較し、身分証明カードが有効であるかどうかを示す有効無効情報を照会情報に含めることにより、有効期限が切れた身分証明カードの使用によるなりすましを防ぐことが可能となる。
【００９９】
また、身分証明システムにおいて、身分証明装置の照会情報生成部が、取得した身分情報に含まれる行動予定情報に基づいて、身分証明カード確認装置の入力部により指定された時刻にユーザが訪問する予定の場所を示す場所情報を照会情報に含めることにより、身分証明カードの不正使用を防ぐことが可能となる。
【０１００】
また、本実施の形態では、身分証明方法として、身分証明カード発行装置の認証コード取得部が、時刻を示す時刻情報と当該時刻にしか得られない一意のデータとを合成して当該時刻を証明するための認証コードを発行する認証サービスを提供するとともに認証サービスの契約者に関する契約者情報を予めデータベースに記憶する認証装置から、所定の時刻を証明するための認証コードを取得し、身分証明カード生成部が、入力部により入力された身分情報と認証コード取得部により取得された認証コードとを表示する身分証明カードの出力イメージを生成し、身分証明装置の検証部が、身分証明カード発行装置の入力部により入力された身分情報とデータベースに記憶された契約者情報とが一致するかどうかを検証し、身分情報管理部が、検証部による検証が成功した場合に、身分証明カード発行装置の身分情報登録部による要求に従って、身分証明カード発行装置の入力部により入力された身分情報と身分証明カード発行装置の認証コード取得部により取得された認証コードとを対応付けて記憶し、身分証明カード発行装置の出力部が、身分情報登録部による登録の要求が成功した場合に、身分証明カード生成部により生成された出力イメージに基づいて身分証明カードを出力することにより、身分証明装置により安価な身分証明サービスを提供し、身分証明カードの偽造や盗難によるなりすましを困難にすることが可能となる。
【０１０１】
また、身分証明方法として、身分証明カード発行装置の認証コード取得部が、撮影部により写真が撮影された時刻を証明するための認証コードを取得し、写真登録部が、撮影部により撮影された写真と認証コード取得部により取得された認証コードとを対応付けてデータベースに登録し、身分証明カード生成部が、入力部により入力された身分情報と撮影部により撮影された写真と認証コード取得部により取得された認証コードとを表示する身分証明カードの出力イメージを生成し、身分証明装置の検証部が、身分証明カード発行装置の認証コード取得部により取得された認証コードに対応する写真が身分証明カード発行装置の写真登録部によりデータベースに登録されているかどうかを検証することにより、身分証明カードの偽造や盗難によるなりすましをより困難にすることが可能となる。
【０１０２】
また、身分証明方法として、身分証明カード発行装置の身分情報更新部が、入力部により入力された認証コードに対応する身分情報を入力部により入力された身分更新情報に更新することを要求し、身分証明装置の身分情報管理部が、身分証明カード発行装置の身分情報更新部による要求に従って、身分証明カード発行装置の入力部により入力された認証コードに対応する身分情報を身分証明カード発行装置の入力部により入力された身分更新情報に更新することにより、身分証明カードを更新することが可能となる。
【０１０３】
また、身分証明方法として、身分証明カード確認装置の身分証明カード照会部が、入力部により入力された認証コードに対応する身分情報を照会し、身分証明装置の照会情報生成部が、身分証明カード確認装置の身分証明カード照会部による照会に従って、身分証明カード確認装置の入力部により入力された認証コードが証明する時刻を示す時刻情報を認証装置から取得し、当該認証コードに対応する写真をデータベースから取得し、当該認証コードに対応する身分情報を身分情報管理部から取得し、取得した時刻情報と写真と身分情報とを照会情報として生成し、身分証明カード確認装置の出力部が、身分証明装置の照会情報生成部により生成された照会情報を出力することにより、身分証明カードを用いて容易に本人確認をすることが可能となる。
【０１０４】
実施の形態２．
本実施の形態では、実施の形態１と同様の身分証明システム１００において、身分証明カード発行装置２００が、ユーザの写真１０２として認証コード付き写真１０２（写真１０２の上に認証コードを記載した画像データ）を表示する身分証明カード１０１を発行する。
【０１０５】
図７は、身分証明カード発行装置２００が身分証明カード１０１を発行する際の身分証明システム１００（特に、身分証明カード発行装置２００及び身分証明センター装置４０１の各部）の動作（身分証明方法及び身分証明プログラムの一例）を示すフロー図である。
【０１０６】
ステップＳ４０１からＳ４０３までは、実施の形態１の図４に示したステップＳ１０１からＳ１０３までと同様である。
【０１０７】
ステップＳ４０４（撮影写真加工ステップ（処理））において、身分証明カード発行装置２００の撮影写真加工部２０４は、認証コード取得部２０３が受け取った認証コードと撮影部２０２が撮影した写真１０２（画像データ）の紐付けを実施し、認証コード付き写真１０２を生成する。
【０１０８】
ステップＳ４０５（写真登録ステップ（処理））において、身分証明カード発行装置２００の写真登録部２０５は、撮影写真加工部２０４が生成した認証コード付き写真１０２を認証センター装置３０１の写真保管データベース３０３へ送信する。認証センター装置３０１の写真保管データベース３０３は、写真登録部２０５から認証コード付き写真１０２を受信し、受信した認証コード付き写真１０２を認証コードと対応付けて登録する。
【０１０９】
ステップＳ４０６（身分証明カード生成ステップ（処理））において、身分証明カード発行装置２００の身分証明カード生成部２０６は、入力部２０１により入力された身分情報、身分証明カード構成情報、認証コード取得部２０３により取得された認証コード、撮影写真加工部２０４により生成された認証コード付き写真１０２から、身分証明カード１０１の印刷イメージを生成する。
【０１１０】
ステップＳ４０７からＳ４１２までは、実施の形態１の図４に示したステップＳ１０６からＳ１１１までと同様である。
【０１１１】
以上のように、本実施の形態では、身分証明システムにおいて、身分証明カード発行装置の撮影写真加工部が、撮影部により撮影された写真と認証コード取得部により取得された認証コードとを合成して認証コード付き写真を生成し、身分証明カード発行装置の写真登録部が、写真として、撮影写真加工部により生成された認証コード付き写真をデータベースに登録することにより、身分証明カードに表示される写真と認証コードとの対応付けをより確実なものとすることが可能となる。
【０１１２】
実施の形態３．
本実施の形態では、実施の形態１と同様の身分証明システム１００において、身分証明カード発行装置２００が、認証コードや身分証明センター装置４０１のＵＲＬ（ユニフォームリソースロケータ）などのデータをコード化した二次元バーコード１０３を表示する身分証明カード１０１を発行する。つまり、実施の形態１の図４に示したステップＳ１０５（身分証明カード生成ステップ（処理））において、身分証明カード発行装置２００の身分証明カード生成部２０６が生成する身分証明カード１０１の印刷イメージには、写真１０２、認証コード、身分情報のほかに、二次元バーコード１０３が含まれる。
【０１１３】
図８は、身分証明カード確認装置５００が身分証明カード１０１のユーザの身分確認をする際の身分証明システム１００（特に、身分証明センター装置４０１及び身分証明カード確認装置５００の各部）の動作（身分証明方法及び身分証明プログラムの一例）を示すフロー図である。
【０１１４】
ステップＳ５０１（読取ステップ（処理））において、身分証明カード確認装置５００の読取部５０２（バーコードリーダとしての機能を有する装置（例えば、携帯電話や専用読取装置）を用いる）は、身分証明カード１０１に表示された二次元バーコード１０３から、二次元バーコード化された情報（認証コードなど）を読み取る。
【０１１５】
ステップＳ５０２（身分証明カード照会ステップ（処理））において、身分証明カード確認装置５００の身分証明カード照会部５０３は、身分証明センター装置４０１の身分証明カード照会受信部４０５に対し、読取部５０２により読み取られた認証コードを送信し、身分証明カード１０１のユーザの身分を照会する。身分証明センター装置４０１の身分証明カード照会受信部４０５は、身分証明カード確認装置５００の身分証明カード照会部５０３から認証コードを受け取る。
【０１１６】
ステップＳ５０３からＳ５０７までは、実施の形態１の図６に示したステップＳ３０３からＳ３０７までと同様である。
【０１１７】
以上のように、本実施の形態では、身分証明システムにおいて、身分証明カード確認装置の読取部が、身分証明カードに表示された二次元バーコードから認証コードを読み取り、身分証明カード確認装置の身分証明カード照会部が、読取部により読み取られた認証コードに対応する身分情報を照会することにより、認証コードの手動で入力する手間を省くことが可能となる。
【０１１８】
図９は、上記実施の形態における身分証明システムを構成する各装置の外観の一例を示す図である。
【０１１９】
図９において、身分証明カード発行装置２００、認証センター装置３０１、身分証明センター装置４０１、身分証明カード確認装置５００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。さらに、身分証明カード発行装置２００、認証センター装置３０１、身分証明センター装置４０１、身分証明カード確認装置５００は、ローカルエリアネットワーク（ＬＡＮ）９４２、ゲートウェイ９４１を介してインターネット９４０に接続されている。
【０１２０】
図１０は、上記実施の形態における身分証明システムを構成する各装置のハードウェア構成の一例を示す図である。
【０１２１】
図１０において、身分証明カード発行装置２００、認証センター装置３０１、身分証明センター装置４０１、身分証明カード確認装置５００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
【０１２２】
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
【０１２３】
通信ボード９１５は、ＬＡＮ９４２などに接続されている。通信ボード９１５は、「〜受信部」、入力装置、入力部、出力装置、あるいは出力部の一例である。
【０１２４】
例えば、Ｋ／Ｂ９０２、スキャナ装置９０７、ＦＤＤ９０４などは、入力装置あるいは入力部の一例である。また、例えば、ＣＲＴ表示装置９０１などは、出力装置あるいは出力部の一例である。
【０１２５】
ここで、通信ボード９１５は、ＬＡＮ９４２に限らず、直接、インターネット９４０、あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ）などのＷＡＮ（ワイドエリアネットワーク）に接続されていても構わない。直接、インターネット９４０、あるいはＩＳＤＮなどのＷＡＮに接続されている場合、身分証明カード発行装置２００、認証センター装置３０１、身分証明センター装置４０１、身分証明カード確認装置５００は、インターネット９４０、あるいはＩＳＤＮなどのＷＡＮに接続され、ゲートウェイ９４１は不要となる。
【０１２６】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【０１２７】
上記プログラム群９２３には、上述した実施の形態の説明において「〜部」として説明する機能を実行するプログラムが記憶されている。プログラムは、ＣＰＵ９１１により読み出され実行される。
【０１２８】
例えば、ＣＰＵ９１１などは、処理装置あるいは処理部の一例である。
【０１２９】
ファイル群９２４には、上述した実施の形態の説明において、「〜データ」、「〜情報」、「〜結果」として説明するものが、ファイル又はその一部として記憶されている。
【０１３０】
また、上述した実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体に記録される。あるいは、信号線やその他の伝送媒体により伝送される。
【０１３１】
また、上述した実施の形態の説明において「〜部」として説明するものは、ＲＯＭ９１３に記憶されたファームウェアで実現されていても構わない。あるいは、ソフトウェアのみ、あるいは、ハードウェアのみ、あるいは、ソフトウェアとハードウェアとの組み合わせ、さらには、ファームウェアとの組み合わせで実施されても構わない。
【０１３２】
また、上述した実施の形態を実施するプログラムは、磁気ディスク装置９２０、ＦＤ、光ディスク、ＣＤ、ＭＤ、ＤＶＤなどのその他の記録媒体による記録装置を用いて記憶されても構わない。
【図面の簡単な説明】
【０１３３】
【図１】実施の形態１に係る身分証明システムの概要を示す概念図である。
【図２】実施の形態１に係る身分証明システム全体の構成を示すブロック図である。
【図３】実施の形態１に係る身分証明システムの詳細な構成を示すブロック図である。
【図４】実施の形態１に係る身分証明システムの動作を示すフロー図である。
【図５】実施の形態１に係る身分証明システムの動作を示すフロー図である。
【図６】実施の形態１に係る身分証明システムの動作を示すフロー図である。
【図７】実施の形態２に係る身分証明システムの動作を示すフロー図である。
【図８】実施の形態３に係る身分証明システムの動作を示すフロー図である。
【図９】各実施の形態における身分証明システムを構成する各装置の外観の一例を示す図である。
【図１０】各実施の形態における身分証明システムを構成する各装置のハードウェア構成の一例を示す図である。
【符号の説明】
【０１３４】
１００  身分証明システム、１０１  身分証明カード、１０２  写真、１０３  二次元バーコード、１５０  インターネット、２００  身分証明カード発行装置、２０１  入力部、２０２  撮影部、２０３  認証コード取得部、２０４  撮影写真加工部、２０５  写真登録部、２０６  身分証明カード生成部、２０７  身分証明カード登録部、２０８  印刷部、２０９  身分証明カード情報更新部、３００  認証センター、３０１  認証センター装置、３０２  契約者情報データベース、３０３  写真保管データベース、４００  身分証明センター、４０１  身分証明センター装置、４０２  身分証明カード登録受信部、４０３  検証部、４０４  身分情報管理部、４０５  身分証明カード照会受信部、４０６  照会部、４０７  照会情報生成部、５００  身分証明カード確認装置、５０１  入力部、５０２  読取部、５０３  身分証明カード照会部、５０４  照会結果表示部、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９４０  インターネット、９４１  ゲートウェイ、９４２  ＬＡＮ。
【図１】
2007133501.tif 000003
【図２】
2007133501.tif 000004
【図３】
2007133501.tif 000005
【図４】
2007133501.tif 000006
【図５】
2007133501.tif 000007
【図６】
2007133501.tif 000008
【図７】
2007133501.tif 000009
【図８】
2007133501.tif 000010
【図９】
2007133501.tif 000011
【図１０】
2007133501.tif 000012